(57)【要約】【課題】  硬質地盤やコンクリートパイル等の掘削において、掘削用ビットが欠け難く、食込み性も適度に有する掘削用ビット及び、コンクリートパイル等の破砕処理において、作業ロッド先端の振れによる逃げの防止可能な掘削用ヘッドの提供にある。【解決手段】  掘削用ビットに搭載されるチップの逃げ面が円弧状に成形され、逃げ面とすくい面のなす角度が、９０°プラスマイナス１０°であり、すくい面が緩い山型に成形されていることを特徴とする。  また、掘削用ヘッドのロッド側面及びまたは掘削用ヘッド先端部に上記掘削用ビットが複数個搭載されていることを特徴とする。【選択図】  図１
2006009538.tif 000002
【特許請求の範囲】
【請求項１】
硬質地盤やコンクリートパイル等を掘削するための掘削用ビットにおいて、該ビットに搭載されるチップの逃げ面が円弧状に成形され、逃げ面とすくい面のなす角度が、９０°プラスマイナス１０°であり、すくい面が緩い山型に成形されていることを特徴とする掘削用ビット。
【請求項２】
硬質地盤ヤコンクリートパイル等を掘削するための掘削用ヘッドにおいて、掘削用ヘッドのロッド側面及びまたは先端ヘッドに請求項１の掘削ビットが複数個搭載されていることを特徴とする掘削用掘削ヘッド。
【発明の詳細な説明】
【技術分野】
【０００１】  本発明は、硬質地盤や、コンクリートパイルを掘削するための掘削用ヘッドのロッド側面及び先端ヘッドに複数個搭載される掘削用ビットとそのビットを使用した掘削用ヘッドに関する。
【背景技術】
【０００２】  従来アースオーガ等で掘削作業を行う場合に掘削用ヘッドの先端に搭載される掘削用ビットは、例えば、実開昭５９−１２１０９０号公報に開示されているように、チップの逃げ面とすくい面が山型（第３図）又は、直線型（第６図）に形成されているものが一般的に使用されている（図５参照）。【０００３】  通常地盤の掘削には、どちらの形状でも差し支えないが、コンクリートや岩盤のような硬質地盤を掘削するには山型は面圧が高く、食い込みはよいが、欠け易いという欠点があり、直線型は欠け難いが面圧が低く食い込み性能が劣るため、盤上を上滑りしてしまい掘削不能となることがある。【０００４】  その他、硬質地盤を掘削する掘削ビットの形状としてコニカル型のものもあるが、コニカル先端部が早期に磨耗、破壊し易く途中交換の必要が生じることから、コニカル部分を交換自在にする提案がなされている。（特許文献１参照）【０００５】  また、コンクリートパイル等の破砕処理においては、破砕時に掘削用ヘッドが振れを起こし、その逃げにより曲がりを生じ破砕処理ができない場合がある。このため、一般的に、ケーシング及びオーガスクリューを地中埋設されたコンクリートパイルと同心上に位置させ、ケーシングを常に先行してコンクリートパイルの周囲を掘削させながら、コンクリートパイル部をオーガスクリューの先端に搭載されている掘削用ビットにて、破砕していくことでオーガスクリューが軸心からずれないようにしている。（特許文献２参照）【０００６】  しかしながら、ケーシングを併用する方法は、装置が大きくなり作業コストも高くなるといった欠点かあった。
【特許文献１】        特開２００２−０１３３７６号公報
【特許文献２】        特開２００１−００３３６３号公報
【発明の開示】
【発明が解決しようとする課題】
【０００７】  上記課題を解決する手段として本発明は、硬質地盤やコンクリートパイル等の掘削において、掘削用ビットが欠け難く、食込み性も適度に有する掘削用ビット及び、コンクリートパイル等の破砕処理において、掘削用ヘッド先端部の振れによる逃げの防止可能な作業ロッドを提供することにある。
【課題を解決するための手段】
【０００８】  掘削用ビットに搭載されるチップの逃げ面が円弧状に成形され、逃げ面とすくい面のなす角度が、９０°プラスマイナス１０°であり、すくい面が緩い山型に成形されていることを特徴とする掘削用ビットにある。【０００９】  また、掘削用ヘッドのロッド側面及びまたは掘削用ヘッド先端部に請求項１の掘削ビットが複数個搭載されていることを特徴とする掘削用ヘッドにある。
【発明の効果】
【００１０】  硬質地盤やコンクリートパイル等の掘削において、チップの逃げ面が円弧状に成形されているので、山型よりも欠け難く、掘削対象に見合った適量の食込み性能が得られる。【００１１】  また、逃げ面とすくい面のなす角度が、９０°プラスマイナス１０°とし、すくい面を緩い山型としたので、コンクリートパイルが鉄筋等を含む場合でもシャーリング効果により裁断されるため、掘削を阻害する絡み付き等の現象を未然に防げ、効率の良い施工が可能となる。【００１２】  そして、コンクリートパイル等の掘削において、該ビットを掘削用ヘッドのロッド側面及び掘削用ヘッド先端部に複数個搭載したことにより、掘削用ヘッド先端部がコンクリートパイル等の中心の空間またはパイルよりも軟質の充填物中を先行して進み、それがガイドとなり、掘削用ヘッドのロッド側面に搭載された掘削用ビットがコンクリートパイル等を破砕して行くので、掘削用ヘッド先端部が振れを起こし、その逃げにより曲がりを生じ破砕できないといったことがない。
【発明を実施するための最良の形態】
【００１３】  以下、本発明を図面に示す実施の形態を参照して説明する。【００１４】  図１は本発明における掘削用ビット１の一実施形態を示すもので、掘削用ビット１のシャンク部３に蝋付けして搭載されるチップ２の逃げ面Ｎが円弧状に成形され、逃げ面Ｎとすくい面Ｓのなす角度Ｇが、９０°プラスマイナス１０°であり、すくい面ＳがＴを頂点とする緩い山型に成形されている【００１５】  図２及び図３は本発明の掘削用ビット１を搭載した掘削用ヘッド５、５’の一実施形態を示し、図２の作業ロッド５は、その先端部に４個の掘削用ビット１，１，１，１がビットホルダー４を介し溶接にて取付けられており、またこの掘削用ヘッド５のロッド側面部に３個の掘削用ビット１，１，１がビットホルダー４を介し段違いに溶接にて取付けられており、夫々の掘削軌跡が僅かにオーバラップして所定の掘削面をカバーするように配置されている。【００１６】  また、図３の掘削用ヘッド５’は、該ヘッド５’に掘削物揚出用装着スクリュー羽根７が装着してあり、その先端部に５個の掘削用ビット１，１，１，１，１がビットホルダー４を介し溶接にて取付けられており、夫々の掘削軌跡が僅かにオーバラップして所定の掘削面をカバーするように配置されている。【００１７】  図４はコンクリートパイル８等の破砕処理用ヘッド５”の一実施形態を示す模式図であり、コンクリートパイル８等の中心の空間またはコンクリートパイル８よりも軟質の充填物中を先行して進む掘削用ヘッド５”の先端部に３個の掘削用ビット１，１，１がビットホルダー４を介し溶接にて取付けられており、夫々の掘削軌跡が僅かにオーバラップして所定の掘削面をカバーするように配置されている。【００１８】  そして、この先端部と距離をおいて上記掘削用ヘッド５”のロッド側面部に、支持板６を介し５個の掘削用ビット１，１，１，１，１が溶接にて取付けられており、これらの掘削用ビット１，１，１，１，１同士も、掘削軌跡か僅かにオーバラップして所定の掘削面をカバーするように配置され、最内側ビットは、先端部ビットの最外側と僅かにその掘削軌跡がオーバラップするように配置されている。【００１９】  次に実施の形態の作用を図１〜４を参照して説明する。【００２０】  アースオーガ等の掘削機（図示せず）の作業ロッド５、５’、５”先端部を硬質地盤や、コンクリートパイル８中心部にセットし、掘削を開始するが、本発明の掘削用ビット１・・・は、掘削用ビット１・・・に搭載されるチップ２・・・の逃げ面が円弧状に成形されているので、山型よりも欠け難く、掘削対象に見合った適量の食込み性能が発現され良好な掘削が行える。【００２１】  そして、逃げ面Ｎとすくい面Ｓのなす角度Ｇが、９０°プラスマイナス１０°であり、すくい面が緩い山型に成形されているので、コンクリートパイル８等が鉄筋等を含む場合でもシャーリング効果により裁断されるため、掘削を阻害する絡み付き等の現象を未然に防げ、効率の良い施工が可能となる。【００２２】  また、コンクリートパイル８の破砕処理においては、図４にその模式図を示したように、先ず、コンクリートパイル８の中心部に掘削用ヘッド５”の先端部をセットして掘削を開始し、掘削用ヘッド５”の先端部をコンクリートパ��ル８の中心の空間またはパイルよりも軟質の充填物中を先行して進すませ、それをガイドとし、掘削用ヘッド５”の先端部から距離をおいて取付けられているロッド側面の掘削用ビット１・・・がコンクリートパイル８に達した時点よりコンクリートパイルを破砕して行くので、作業ロッド５”が振れを起こし、その逃げにより曲がりを生じてコンクリートパイルが破砕できなくなるといったことがない。
【図面の簡単な説明】
【００２３】
【図１】  本発明における掘削ビットの一実施形態を示す正面図（１−１）、背面図（１−２）、平面図（１−３）、底面図（１−４）、側面図（１−５）。
【図２】  本発明における掘削ビットを使用した作業ロッドの一実施形態を示す側面図（２−１）、正面図（２−２）、（２−１）のＡ矢視正面図（２−３）。
【図３】  本発明における掘削ビットを使用した作業ロッドの他の実施形態を示す側面図（３−１）、正面図（３−２）。
【図４】  本発明における掘削ビットを使用したパイル掘削ロッドの一実施形態を示す模式図。
【図５】  実開昭５９−１２１０９０号公報の第３図及び第６図。
【符号の説明】
【００２４】１  掘削用ビット
２  チップ
３  シャンク部
４  ビットホルダー
５、５’、５”  掘削用ヘッド
６  支持板
７  スクリュー羽根
８  コンクリートパイル
Ｇ  仰角
Ｓ  すくい面
Ｎ  逃げ面
Ｔ  頂点
【図１】
2006009538.tif 000003
【図２】
2006009538.tif 000004
【図３】
2006009538.tif 000005
【図４】
2006009538.tif 000006
【図５】
2006009538.tif 000007